(57)【要約】【課題】中途半端な異常動作の継続を抑制することができる音響装置、およびその音響装置を備えた薄型テレビジョンを提供する。【解決手段】エラー信号Errorを安定化する整流回路１５ｅを備えるので、ハイ／ローで不規則にばたつくようなエラー信号Errorが整流回路１５ｅに入力されたとしても、整流回路１５ｅはそのエラー信号Errorを例えば平滑化して安定化後エラー信号ＦErrorに変換することから、ハイ／ローで不規則にばたつくような中途半端な異常動作時であっても異常状態を適切に検出することが可能になり、音声出力アンプＩＣ１５ａに供給される電力が確実に遮断される。【選択図】図２
2008258749.tif 000002
【特許請求の範囲】
【請求項１】
音声出力アンプに入力された音声信号に基づいてスピーカから音声を出力すると共に、異常動作時には上記音声出力アンプを保護する為にエラー信号としてハイ信号を出力する音響装置を備える薄型テレビジョンにおいて、
上記音響装置は、
上記エラー信号を安定化する整流回路を備え、
上記整流回路は、
ダイオードと、同ダイオードのカソード側に一方の端子が接続され且つ他方の端子が接地されるコンデンサとを有し、
上記ダイオードのアノード側に上記エラー信号が入力されると共に、同エラー信号を平滑して安定化させた信号を上記ダイオードのカソード側から異常信号出力回路へ出力し、
上記異常信号出力回路は、
ベースが上記ダイオードのカソード側に接続される第１のトランジスタと、
ベースが上記第１のトランジスタを介して接地され、エミッタが異常状態を検出する為の異常状態検出信号の信号電圧源に接続され、コレクタがマイコンに接続される第２のトランジスタとを有し、
上記安定化させた信号の電圧が所定電圧以上となって上記第１のトランジスタがオンさせられると上記第２のトランジスタもオンさせられて上記異常状態検出信号としてハイ信号が上記マイコンへ出力され、
上記マイコンは、
上記異常状態検出信号として上記ハイ信号が所定時間継続して入力された場合に、異常状態であると判断し、上記音声出力アンプへの電力を遮断することを特徴とする薄型テレビジョン。
【請求項２】
音声出力アンプとスピーカとを備え、同音声出力アンプに入力された音声信号に基づいて同スピーカから音声を出力すると共に、異常動作時には上記音声出力アンプを保護する為にエラー信号としてハイ信号を出力する音響装置において、
上記エラー信号を安定化する整流回路を更に備えることを特徴とする音響装置。
【請求項３】
上記整流回路は、
ダイオードと、同ダイオードのカソード側に一方の端子が接続され且つ他方の端子が接地されるコンデンサとを有し、
上記ダイオードのアノード側に上記エラー信号が入力されると共に、同エラー信号を整流して同ダイオードのカソード側から出力することを特徴とする請求項２に記載の音響装置。
【請求項４】
上記整流回路からの出力に基づいて上記音声出力アンプに供給される電力が遮断されることを特徴とする請求項２または３に記載の音響装置。
【請求項５】
上記整流回路からの出力が所定電圧以上であることに基づく異常状態検出信号がマイコンへ出力され、
上記マイコンは、
上記異常状態検出信号が所定時間継続して入力された場合に、上記音声出力アンプに供給する電力を遮断することを特徴とする請求項４に記載の音響装置。
【請求項６】
上記整流回路により整流された後の上記エラー信号が異常信号出力回路へ出力され、
上記異常信号出力回路は、
ベースが上記ダイオードのカソード側に接続される第１のトランジスタと、
ベースが上記第１のトランジスタを介して接地され、エミッタが上記異常状態検出信号の信号電圧源に接続され、コレクタが上記マイコンに接続される第２のトランジスタとを有し、
上記整流回路からの出力が所定電圧以上となって上記第１のトランジスタがオンさせられると上記第２のトランジスタもオンさせられて上記異常状態検出信号としてハイ信号を上記マイコンへ出力し、
上記マイコンは、
上記ハイ信号が所定時間継続して入力された場合に、異常状態であると判断して上記音声出力アンプへの電力を遮断することを特徴とする請求項５に記載の音響装置。
【発明の詳細な説明】
【技術分野】
【０００１】
本発明は、薄型テレビジョン、および音響装置に係り、特に、異常動作時にエラー信号を出力する音響装置、その音響装置を備えた薄型テレビジョンに関する。
【背景技術】
【０００２】
例えば薄型テレビジョン装置には、音声出力アンプＩＣに入力された音声信号に基づいてスピーカから音声を出力する音響装置が備えられている。また、この音声出力アンプＩＣには、例えば出力ショート、熱遮断（サーマルシャットダウン）、減電検出、瞬断検出等の異常動作時にエラー信号としてハイ信号を出力するものがある。このようなエラー信号は、ハイ信号の出力時に薄型テレビジョン装置の電源をオフさせる等して音響装置に供給される電力を遮断し、異常動作時に音声出力アンプＩＣ等を保護する為の発熱対策等に利用することがよく知られている。
【０００３】
図３は、薄型テレビジョン装置において、異常動作時に音響装置への供給電力を遮断することに関する部分の一例を示す概略構成図である。図３において、電源回路１は部分共振電源回路であり、外部の例えば商用ＡＣ電源を複数種類の所定の電圧に変換して薄型テレビジョン装置各部へ動作電源電圧を出力する。音響装置２は、音声信号に基づいてスピーカ２ｂから音声を出力させる音声出力アンプＩＣ２ａと、音声出力アンプＩＣ２ａへ定電圧を出力する定電圧回路２ｃとを主体として構成されている。この音声出力アンプＩＣ２ａは、例えば出力ショート、熱遮断、減電検出、瞬断検出等の異常動作時にエラー信号としてハイ信号を出力する。マイコン３は、例えば上記ハイ信号が所定時間継続して入力された場合に、異常状態であると判断し、電源回路１のオン・オフを指令する信号としてオン信号Ｐonに替えてオフ信号Ｐoffを電源回路１に出力する。これにより、電源回路１がオフさせられて各動作電源電圧の出力が停止させられ、異常状態による発熱から音声出力アンプＩＣ等を保護することが可能になる。
【０００４】
また、特許文献１には、温度モニタ回路と、温度検出出力に応じてＩＣチップ内の他の主要回路の動作を止める遮断回路を備えた過熱保護回路において、遮断回路内にタイマ回路部を設け、温度モニタ回路の信号が一定時間以上同一レベル以上であることを判定し、このことを判定した後には上記主要回路の動作を止めるようにした半導体集積回路における過熱保護回路の構成が開示されている。
【０００５】
また、特許文献２には、放熱効率が低下して高温条件下において電源をオン、オフするような場合に、遮断回路の誤動作が生じても遮断信号を出力しないようにした過熱保護回路の構成が開示されている。
【０００６】
また、特許文献３には、音声合成ＩＣが暴走を起こしても外部操作を行うことなく自動的に正常動作に復帰するようにした音声出力制御システムの構成が開示されている。
【０００７】
また、特許文献４には、マルチ・チャンネル・デコーダ（ＭＣＤ）またはデジタル・インタフェース・レシーバ（ＤＩＲ）と、デジタル・シグナル・プロセッサ（ＤＳＰ）と、マイクロ・コンピュータとを１つの集積回路ＩＣとして構成し、ＭＣＤまたはＤＩＲより出力されたエラー検出データに応じてＤＳＰの出力信号を強制的に零にしてミュートをかけるＡＮＤ回路のような強制的ミュート回路をＤＳＰの後段に設けた音響機器の信号処理装置が開示されている。
【特許文献１】特開平７−７８９４１号公報
【特許文献２】特開平７−１３６４３号公報
【特許文献３】特開２０００−４７８４８号公報
【特許文献４】特開２００２−１５０７２３号公報
【発明の開示】
【発明が解決しようとする課題】
【０００８】
ところで、ノイズ等の影響によって、またＩＣ等の負荷ショートやピン間ショート等のようにエラー信号がハイ（Ｈ）／ロー（Ｌ）で不規則にばたつくことによって、上記異常状態時の制御作動が不安定になることをできるだけ抑制しようとすれば、上述したようにエラー信号が所定時間継続してハイ信号である場合に異常状態と判定して電源をオフすることが通常行われる。
【０００９】
そうすると、エラー信号が“Ｈ”／“Ｌ”でばたつくようなＩＣ等の負荷ショートやピン間ショート等の中途半端な異常動作時には、異常状態と判定されず電源がオフされないことから、そのような中途半端な異常動作時における発熱を予め見込んだ発熱対策を行う必要があった。例えば、消費電流が増えても発熱温度が規定値以下となるように放熱板を設けて温度を下げたり、消費電流が増えても耐えられるように図３に示したような抵抗２ｄを大きな容量のものとする必要があった。このような発熱対策は、中途半端な異常動作時以外では過剰品質であり、コストアップの要因となる可能性があった。こうした中途半端な異常動作時に対する有効な発熱対策は未だ提案されていない。
【００１０】
本発明は上記課題に鑑みて為されたもので、その目的とするところは、中途半端な異常動作の継続を抑制することができる音響装置、およびその音響装置を備えた薄型テレビジョンを提供することにある。
【課題を解決するための手段】
【００１１】
上記目的を達成するための請求項１に記載の発明は、音声出力アンプに入力された音声信号に基づいてスピーカから音声を出力すると共に、異常動作時には上記音声出力アンプを保護する為にエラー信号としてハイ信号を出力する音響装置を備える薄型テレビジョンにおいて、上記音響装置は、上記エラー信号を安定化する整流回路を備え、上記整流回路は、ダイオードと、同ダイオードのカソード側に一方の端子が接続され且つ他方の端子が接地されるコンデンサとを有し、上記ダイオードのアノード側に上記エラー信号が入力されると共に、同エラー信号を平滑して安定化させた信号を上記ダイオードのカソード側から異常信号出力回路へ出力し、上記異常信号出力回路は、ベースが上記ダイオードのカソード側に接続される第１のトランジスタと、ベースが上記第１のトランジスタを介して接地され、エミッタが異常状態を検出する為の異常状態検出信号の信号電圧源に接続され、コレクタがマイコンに接続される第２のトランジスタ２とを有し、上記安定化させた信号の電圧が所定電圧以上となって上記第１のトランジスタがオンさせられると上記第２のトランジスタもオンさせられて上記異常状態検出信号としてハイ信号が上記マイコンへ出力され、上記マイコンは、上記異常状態検出信号として上記ハイ信号が所定時間継続して入力された場合に、異常状態であると判断し、上記音声出力アンプへの電力を遮断することにある。
【００１２】
上記のように構成された本発明の薄型テレビジョンにおいて、ハイ信号とロー信号とでばたつくようなエラー信号が整流回路に入力されたとしても、整流回路はそのエラー信号を平滑化して安定した信号出力に変換することができる。このように、整流回路により上記エラー信号が安定化させられることから、エラー信号がハイ信号とロー信号とでばたつくような中途半端な異常動作時であっても、安定化後の信号電圧が所定電圧以上となって第１のトランジスタがオンさせられると第２のトランジスタもオンさせられて異常状態検出信号としてハイ信号がマイコンへ出力され、異常状態を適切に検出することができる。そして、上記音声出力アンプに供給される電力が確実に遮断される。
【００１３】
また、前記目的を達成するための請求項２に記載の発明は、音声出力アンプとスピーカとを備え、同音声出力アンプに入力された音声信号に基づいて同スピーカから音声を出力すると共に、異常動作時には上記音声出力アンプを保護する為にエラー信号としてハイ信号を出力する音響装置において、上記エラー信号を安定化する整流回路を更に備えることにある。
【００１４】
上記のように構成された本発明の音響装置において、ハイ信号とロー信号とでばたつくようなエラー信号が整流回路に入力されたとしても、整流回路はそのエラー信号を例えば平滑化して安定した信号出力に変換することが可能である。このように、整流回路により上記エラー信号が安定化させられることから、エラー信号がハイ信号とロー信号とでばたつくような中途半端な異常動作時であっても、異常状態を適切に検出することが可能になる。
【００１５】
また、請求項３に記載の発明は、請求項２に記載の音響装置において、上記整流回路は、ダイオードと、同ダイオードのカソード側に一方の端子が接続され且つ他方の端子が接地されるコンデンサとを有し、上記ダイオードのアノード側に上記エラー信号が入力されると共に、同エラー信号を整流して同ダイオードのカソード側から出力することにある。
【００１６】
要するに、請求項２に記載の音響装置において、上記整流回路は、ダイオードと、同ダイオードのカソード側に一方の端子が接続され且つ他方の端子が接地されるコンデンサとを有している。
【００１７】
そして、ハイ信号とロー信号とでばたつくようなエラー信号が入力されたとしても、整流回路はそのエラー信号を整流して安定した信号出力に容易に変換することができる。
【００１８】
また、請求項４に記載の発明は、請求項２または３に記載の音響装置において、上記整流回路からの出力に基づいて上記音声出力アンプに供給される電力が遮断されることにある。
【００１９】
上記のように構成された請求項２または３に記載の音響装置において、エラー信号がハイ信号とロー信号とでばたつくような中途半端な異常動作時であっても、そのエラー信号が安定化させられた整流回路からの出力に基づいて上記音声出力アンプに供給される電力が確実に遮断される。
【００２０】
また、請求項５に記載の発明は、請求項４に記載の音響装置において、上記整流回路からの出力が所定電圧以上であることに基づく異常状態検出信号がマイコンへ出力され、上記マイコンは、上記異常状態検出信号が所定時間継続して入力された場合に、上記音声出力アンプに供給する電力を遮断することにある。
【００２１】
上記のように構成された請求項４に記載の音響装置において、エラー信号がハイ信号とロー信号とでばたつくような中途半端な異常動作時であっても、そのエラー信号が安定化させられた整流回路からの出力が所定電圧以上であることに基づく異常状態検出信号がマイコンへ出力されるので、マイコンによる電力制御を安定して行うことが可能になる。
【００２２】
また、請求項６に記載の発明は、請求項５に記載の音響装置において、上記整流回路により整流された後の上記エラー信号が異常信号出力回路へ出力され、上記異常信号出力回路は、ベースが上記ダイオードのカソード側に接続される第１のトランジスタと、ベースが上記第１のトランジスタを介して接地され、エミッタが上記異常状態検出信号の信号電圧源に接続され、コレクタが上記マイコンに接続される第２のトランジスタとを有し、上記整流回路からの出力が所定電圧以上となって上記第１のトランジスタがオンさせられると上記第２のトランジスタもオンさせられて上記異常状態検出信号としてハイ信号を上記マイコンへ出力し、上記マイコンは、上記ハイ信号が所定時間継続して入力された場合に、異常状態であると判断して上記音声出力アンプへの電力を遮断することにある。
【００２３】
上記のように構成された請求項５に記載の音響装置において、エラー信号がハイ信号とロー信号とでばたつくような中途半端な異常動作時であっても、そのエラー信号が安定化させられた整流回路からの出力が所定電圧以上であることに基づいて上記異常信号出力回路により安定した上記異常状態検出信号がマイコンへ出力されるので、マイコンによる異常状態の判断が安定して行われる。
【発明の効果】
【００２４】
以上説明したように、請求項１または２に記載の発明によれば、エラー信号を安定化する整流回路を備えることにより音響装置の異常状態の検知を早く、確実に行うことができ、中途半端な異常動作の継続を抑制することができる。これによって、中途半端な異常動作時以外では過剰品質となるような発熱対策を行うことなく、中途半端な異常動作の継続による発熱から音響装置の部品の耐久性低下や品質低下を容易に抑制することができる。
【００２５】
また、請求項１または３に記載の発明によれば、ハイ信号とロー信号とでばたつくようなエラー信号を安定した信号出力に容易に変換することができる。
【００２６】
また、請求項１または４に記載の発明によれば、誤動作の少ない電源制御を行うことが可能になるので、中途半端な異常動作の継続を容易に抑制することができる。
【００２７】
また、請求項１または５に記載の発明によれば、中途半端な異常動作時にマイコンにより誤動作の少ない電源制御を行うことが可能になるので、中途半端な異常動作の継続を容易に抑制することができる。
【００２８】
また、請求項１または６に記載の発明によれば、中途半端な異常動作時に上記異常信号出力回路により安定した上記異常状態検出信号がマイコンへ出力されて、マイコンにより誤動作の少ない電源制御を行うことが可能になるので、中途半端な異常動作の継続を容易に抑制することができる。
【発明を実施するための最良の形態】
【００２９】
以下、下記の項目に従って本発明の実施形態を図面を参照しつつ説明する。
（１）液晶テレビジョン装置の構成
（２）音響装置の具体的な構成
（３）まとめ
【００３０】
（１）液晶テレビジョン装置の構成
図１は、本発明が適用される薄型テレビジョンとしての液晶テレビジョン装置１０の構成を説明するブロック図である。図１において、液晶テレビジョン装置１０は、チューナ１１と、フロントエンド１２と、デコーダ１３と、ＯＳＤ回路１４と、音声出力部１５と、画像表示部１６と、リモコン受信部１７と、マイコン１８と、電源回路１９とを備えている。
【００３１】
チューナ１１は、例えばアンテナ２０と接続されており、マイコン１８から入力される制御信号に従って、アンテナ２０で受信されるテレビジョン放送信号の中から１つのチャンネル（例えばユーザによって選局されたチャンネル）に対応するテレビジョン放送信号を取得してフロントエンド１２に出力する。
【００３２】
フロントエンド１２は、例えばマイコン１８から入力される制御信号に従って、チューナ１１から出力されたテレビジョン放送信号を中間周波信号に変換して、デコーダ１３に出力する。
【００３３】
デコーダ１３は、例えばマイコン１８から入力される制御信号に従って、フロントエンド１２から出力された中間周波信号に対して所定のファイル形式（例えばよく知られたＭＰＥＧ−２形式等）に応じた処理を施すことによって、その中間周波信号を音声信号と画像信号とに分離してデコードする。そして、そのデコードした音声信号を音声出力部１５へ出力するとともに、画像信号を画像表示部１６へ出力する。
【００３４】
ＯＳＤ回路１４は、例えばマイコン１８から入力される制御信号に従って、画像表示部１６に所定のＯＳＤ表示（オンスクリーンディスプレイ表示）をさせるためのＯＳＤ表示信号を、デコーダ１３から画像表示部１６へ出力される画像信号に合成する。
【００３５】
音声出力部１５は、デコーダ１３から出力された音声信号に基づく音声データに応じた音声を出力する音響装置として機能する。
【００３６】
画像表示部１６は、例えばパネル駆動回路１６ａや液晶パネル１６ｂなどを有し、デコーダ１３から出力された画像信号に基づく画像データに応じた画像や、デコーダ１３から出力されてＯＳＤ回路１４によりＯＳＤ表示信号が合成された画像信号に基づく画像データに応じた画像を表示する。
【００３７】
リモコン受信部１７は、例えばリモコン２１から送信された各種信号（制御コマンド）を受信し、それら各種信号に基づく各種データをマイコン１８へ出力する。
【００３８】
リモコン２１は、例えばユーザによって操作され、その操作に応じた信号をリモコン受信部１７へ送信する。より具体的には、リモコン２１は、選局するチャンネルを指定する際に操作されるチャンネルキーやチャンネルアップ／ダウンキーなどを有する。
【００３９】
マイコン１８は、例えばＣＰＵ１８ａやＲＡＭ１８ｂやＲＯＭ１８ｃなどを有し、液晶テレビジョン装置１０の動作を制御する。例えば、マイコン１８は、リモコン受信部１７で受信した制御コマンドに基づいてチャンネルの切換え、音量のアップ／ダウン等を制御する。
【００４０】
ＣＰＵ１８ａは、ＲＯＭ１８ｃに記憶された液晶テレビジョン装置１０用の各種処理プログラムに従って、各種の制御動作を行う。
【００４１】
ＲＡＭ１８ｂは、ＣＰＵ１８ａによって実行される処理プログラムなどを展開するためのプログラム格納領域や、入力データや上記処理プログラムが実行される際に生じる処理結果などを格納するデータ格納領域などを備える。
【００４２】
ＲＯＭ１８ｃは、液晶テレビジョン装置１０で実行可能なシステムプログラム、そのシステムプログラムで実行可能な各種処理プログラム、これら各種処理プログラムを実行する際に使用されるデータ、ＣＰＵ１８ａによって演算処理された各種結果のデータなどを記憶する。なお、プログラムは、コンピュータが読み取り可能なプログラムコードの形でＲＯＭ１８ｃに記憶されている。
【００４３】
電源回路１９は、例えば部分共振電源回路であり、商用ＡＣ電源を複数種類の所定の電圧に変換して液晶テレビジョン装置１０の各部へ動作電源電圧を出力する。
【００４４】
（２）音響装置の具体的な構成
図２は、図１に示した液晶テレビジョン装置１０のうちで音響装置としての音声出力部１５に関する部分をより具体的に説明する概略構成図である。図２において、音声出力部１５は、音声出力アンプＩＣ（Ｄ−ＡＭＰ）１５ａ、スピーカ１５ｂ、電源回路１９からの出力電圧に基づいて音声出力アンプＩＣ１５ａへ定電圧Ｖccを供給する定電圧回路１５ｃ、抵抗１５ｄ、整流回路１５ｅなどを有している。
【００４５】
音声出力アンプＩＣ１５ａは、デコーダ１３から入力された音声信号に電力増幅等の所定の処理を施してスピーカ１５ｂへ出力し、そのスピーカ１５ｂから音声を出力させる。また、この音声出力アンプＩＣ１５ａは、例えば出力ショート、熱遮断、減電検出、瞬断検出等の異常動作時には音声出力アンプＩＣ１５ａ自体を保護する為にエラー信号Errorとしてハイ信号“Ｈ”を出力する。
【００４６】
ここで、ノイズ等の影響によって、また音声出力アンプＩＣ１５ａ等の負荷ショートやピン間ショート等の中途半端な異常動作時にエラー信号Errorがハイ／ローで不規則にばたつくことによってマイコン１８の制御作動が不安定になることをできるだけ抑制しようとすれば、エラー信号Errorが所定時間継続してハイ信号である場合に異常状態と判定することが考えられる。しかし、それでは、エラー信号Errorがハイ／ローでばたつくような中途半端な異常動作時には、異常状態と判定されず電源オフ等の発熱対策が行われないことから、そのような中途半端な異常動作時における発熱を予め見込んだ発熱対策を行う必要があり、コストアップの要因となる可能性がある。そこで、本実施例の音声出力部１５は、上記エラー信号Errorを安定化する整流回路１５ｅを備えるのである。
【００４７】
より具体的には、整流回路１５ｅは、ダイオードＤ１と、ダイオードＤ１のカソード側に一方の端子が接続され且つ他方の端子が接地されるコンデンサＣ１とを有し、ダイオードＤ１のアノード側に上記エラー信号Errorが入力されると共に、そのエラー信号Errorを平滑して安定化させた安定化後エラー信号ＦErrorをダイオードＤ１のカソード側から出力する。
【００４８】
このように整流回路１５ｅによってエラー信号Errorを整流して安定化することで、負荷ショートやピン間ショート等の中途半端な異常動作時にエラー信号Errorが図２内Ａに示す如くハイ／ローで不規則にばたついたとしても、安定化後エラー信号ＦErrorには図２内Ｂに示す如くエラー信号Errorを均した値が出力される。
【００４９】
整流回路１５ｅの出力である安定化後エラー信号ＦErrorは、例えば異常状態時に電源回路１９をオフさせる為の異常状態検出信号Ｓｅをマイコン１８へ出力する異常信号出力回路２２を作動させる信号となる。例えば、異常信号出力回路２２は、ベースがダイオードＤ１のカソード側に接続される第１のトランジスタＴr１と、ベースが第１のトランジスタＴr１を介して接地され、エミッタが異常状態を検出する為の異常状態検出信号Ｓｅの信号電圧源２３に接続され、コレクタがマイコン１８に接続される第２のトランジスタＴr２とを有し、安定化後エラー信号ＦErrorの電圧が所定電圧以上となって第１のトランジスタＴr１がオンさせられると第２のトランジスタＴr２もオンさせられて異常状態検出信号Ｓｅとしてハイ信号がマイコン１８へ出力される。
【００５０】
マイコン１８は、例えば上記ハイ信号が所定時間継続して入力された場合に、異常状態であると判断し、電源回路１９のオン・オフを指令する信号としてオン信号Ｐonに替えてオフ信号Ｐoffを電源回路１９に出力する。これにより、電源回路１９がオフさせられて音声出力アンプＩＣ１５ａ等への電力が遮断させられ、異常状態による発熱から音声出力アンプＩＣ１５ａ等を保護することが可能になる。
【００５１】
（３）まとめ
上述のように、本実施例によれば、エラー信号Errorを安定化する整流回路１５ｅを備えるので、ハイ／ローで不規則にばたつくようなエラー信号Errorが整流回路１５ｅに入力されたとしても、整流回路１５ｅはそのエラー信号Errorを例えば平滑化して安定化後エラー信号ＦErrorに変換することから、ハイ／ローで不規則にばたつくような中途半端な異常動作時であっても異常状態を適切に検出することが可能になり、音声出力アンプＩＣ１５ａに供給される電力が確実に遮断される。また、エラー信号Errorが安定化させられるので、マイコン１８が異常状態を判断する際の所定時間を短く設定することも可能になる。これにより音声出力部１５の異常状態の検知を早く、確実に行うことができ、中途半端な異常動作の継続を抑制することができる。よって、中途半端な異常動作時以外では過剰品質となるような発熱対策を行うことなく、中途半端な異常動作の継続による発熱から音声出力部１５の部品の耐久性低下や品質低下を容易に抑制することができる。また、誤動作の少ない電源制御を行うことが可能になるので、中途半端な異常動作の継続を容易に抑制することができる。
【００５２】
また、本実施例によれば、整流回路１５ｅは、ダイオードＤ１とコンデンサＣ１とで構成されるので、エラー信号Errorを平滑化して安定化後エラー信号ＦErrorに容易に変換することができる。特に、ハイ／ローでばたつくようなエラー信号Errorを安定した信号出力に容易に変換することができる。
【００５３】
また、本実施例によれば、整流回路１５ｅによりエラー信号Errorが安定化させられた安定化後エラー信号ＦErrorが所定電圧以上であることに基づく異常状態検出信号Ｓｅがマイコン１８へ出力されるので、異常状態検出信号Ｓｅが所定時間継続して入力されたことに基づいてマイコン１８により音声出力アンプＩＣ１５ａに供給する電力を遮断する場合において、中途半端な異常動作時にマイコンにより誤動作の少ない安定した電源制御を行うことが可能になって中途半端な異常動作の継続を容易に抑制することができる。
【００５４】
また、本実施例によれば、安定化後エラー信号ＦErrorに基づいて異常信号出力回路２２により安定した異常状態検出信号Ｓｅがマイコン１８へ出力されるので、マイコン１８による異常状態の判断が安定して行われる。よって、中途半端な異常動作時に異常信号出力回路２２により安定した異常状態検出信号Ｓｅがマイコン１８へ出力されて、マイコン１８により誤動作の少ない電源制御を行うことが可能になり、中途半端な異常動作の継続を容易に抑制することができる。
【００５５】
以上、本発明の実施例を図面に基づいて詳細に説明したが、本発明はその他の態様においても適用される。
【００５６】
例えば、前述の実施例では、マイコン１８は、異常状態であると判断した場合には電源回路１９をオフしたが、電源回路１９はオンのままで例えば定電圧回路１５ｃのみをオフして音声出力アンプＩＣ１５ａに供給される電力を遮断してもよい。この場合には、電源回路１９はオンのままなので、ＯＳＤ回路１４により音声系の電源がオフであり音声出力が現在途絶えている旨をＯＳＤ表示することも可能である。
【００５７】
また、マイコン１８による電源制御により音声出力アンプＩＣ１５ａに供給される電力を遮断したが、例えば安定化後エラー信号ＦErrorに基づいてスイッチングトランジスタを作動させて直接的に電源回路１９や定電圧回路１５ｃの出力電圧を制御し、音声出力アンプＩＣ１５ａに供給される電力を遮断してもよい。このようにすれば、マイコン１８の異常時にも確実に音声出力アンプＩＣ１５ａに供給される電力を遮断することができる。
【００５８】
なお、上述したのはあくまでも一実施形態であり、本発明は当業者の知識に基づいて種々の変更、改良を加えた態様で実施することができる。
【図面の簡単な説明】
【００５９】
【図１】本発明が適用される液晶テレビジョン装置の構成を説明するブロック図である。
【図２】図１に示した液晶テレビジョン装置のうちで音響装置としての音声出力部に関する部分をより具体的に説明する概略構成図である。
【図３】従来の薄型テレビジョン装置において、異常動作時に音響装置への供給電力を遮断することに関する部分の一例を示す概略構成図である。
【符号の説明】
【００６０】
１０：液晶テレビジョン装置（液晶テレビジョン）
１５：音声出力部（音響装置）
１５ａ：音声出力アンプＩＣ（音声出力アンプ）
１５ｂ：スピーカ
１５ｅ：整流回路
Ｄ１：ダイオード
Ｃ１：コンデンサ
１８：マイコン
２２：異常信号出力回路
Ｔr１：第１のトランジスタ
Ｔr２：第２のトランジスタ
２３：信号電圧源
Error：エラー信号
ＦError：安定化後エラー信号（安定化させた信号）
Ｓｅ：異常状態検出信号
【図１】
2008258749.tif 000003
【図２】
2008258749.tif 000004
【図３】
2008258749.tif 000005